(57)【要約】本発明は、断熱材の剪断強度を測定するための装置及び方法に関し、前記装置は、断熱材の剪断強度を測定する装置であって、前記装置（１）は可動式の締め具（２）及びその近傍に配置された同様の構成からなる少なくとも１つの固定式の締め具（３）を備え、それぞれの締め具は断熱材を切断してなる細片状の試験片（１５）を把持できる把持穴（２ａ、３ａ）を備える。この装置は可動式の締め具に力Ｆを加えることにより前記可動式の締め具（２）を固定式の締め具（３）に対して動かし、そのとき測定されている細片（１５）を可動式の締め具と固定式の締め具との間の位置（１４）で剪断するようにされており、前記装置は更に力Ｆの大きさを測定する手段を備えている。前記方法は、断熱材の剪断強度を測定する方法であって、前記方法は、断熱材を様々な指示による特定の寸法に従い細片状の試験片（１５）に切断し、前記細片を剪断強度を測定する装置（１）内に載置する。この装置は力Ｆを可動部先端に加えることにより、可動式の締め具（２）を固定式の締め具（３）に対して動かし、測定している細片（１５）を可動式の締め具（２）と固定式の締め具（３）との間の位置（１４）で剪断させ、前記力Ｆはその大きさを測定し、それに基づいて剪断強度が決定される。
2005522672.tif 000002
【特許請求の範囲】
【請求項１】
断熱材の剪断強度を測定する装置であって、前記装置（１）は可動式の締め具（２）及びその近傍に配置された同様の構成からなる少なくとも１つの固定式の締め具（３）を備え、それぞれの締め具は断熱材を切断してなる細片状の試験片（１５）を把持できる把持穴（２ａ、３ａ）を備え、前記装置は可動式の締め具に力Ｆを加えることにより前記可動式の締め具（２）を固定式の締め具（３）に対して動かし、そのとき測定されている細片（１５）を可動式の締め具と固定式の締め具との間の位置（１４）で剪断するようにされており、前記装置は更に力Ｆの大きさを測定する手段を備えていることを特徴とする装置。
【請求項２】
１つの固定式の締め具（３）と、１つの可動式の締め具（２）からなることを特徴とする請求項１に記載の装置。
【請求項３】
２つの固定式の締め具（３）と、その間に位置する１つの可動式の締め具（２）からなることを特徴とする請求項１に記載の装置。
【請求項４】
可動式の締め具（２）は、変更可能な一定の速度で作動するようになっていることを特徴とする請求項１に記載の装置。
【請求項５】
断熱材の剪断強度を測定する方法であって、前記方法は、断熱材を様々な指示による特定の寸法に従い細片状の試験片（１５）に切断し、前記細片を剪断強度を測定する装置（１）内に載置し、前記装置は、１つの可動式の締め具（２）及びその近傍に同様の構成からなる少なくとも１つの固定式の締め具（３）を備え、それぞれの締め具は細片状の試験片を把持する把持穴（２ａ、３ａ）とを備え、前記装置は力Ｆを可動部先端に加えることにより、可動式の締め具（２）を固定式の締め具（３）に対して動かし、測定している細片（１５）を可動式の締め具（２）と固定式の締め具（３）との間の位置（１４）で剪断させ、前記力Ｆはその大きさを測定し、それに基づいて剪断強度が決定されることを特徴とする方法。
【請求項６】
既製の積層建材のコア部分の剪断強度を試験する方法であることを特徴とする請求項５に記載の方法。
【請求項７】
前記既製のコア部分は、構造用ウールであることを特徴とする請求項６に記載の方法。
【請求項８】
前記把持穴（２ａ、３ａ）内に載置する細片（１５）は、含まれる繊維が実質的に力Ｆが供給される方向に並行に位置していることを特徴とする請求項７に記載の方法。
【発明の詳細な説明】
【技術分野】
【０００１】
本発明は例えば構造用ウールや、発泡ポリウレタン、あるいは発泡ポリスチレン等からなる断熱材の剪断強度を測定するための装置及び方法に関する。
【背景技術】
【０００２】
前記構造用ウールとは、言い換えれば、いわゆる硬質ウールであり、複数の無機ウールの繊維層を重ねてウールパネルとしたものから構成される。
【０００３】
無機ウールパネルは様々な用途の断熱材として使用することができ、あるいは、例えばプラスチックコーティングされた薄鋼板からなる化粧板に無機ウールをコア層として挟み込んだ積層パネルなど様々な構造の積層処理を行うことができる。
【０００４】
いくつかの薄層が互いに側面部が連続して接着されて所望の大きさのウールのコア層が作製され、ウールマットから切り出された層の幅がコア層の厚さを規定している。
【０００５】
このように適用することにより、ウールパネルから形成されたコア部材が構造用ウールとして作用する。いわゆる軽量の積層要素は、そのコア部材を構造用ウールに換えて、例えばポリエチレンあるいはポリスチレンの発泡体により形成することができる。
【発明の開示】
【発明が解決しようとする課題】
【０００６】
本発明の装置及び方法は、コア層が組立式ユニットとして作製され、それからパネルの化粧板にしっかりと接着されている限りは、前述の積層要素のコア層の試験を行うのに使用できる。
【０００７】
構造用ウールは様々な異なる強度が要求され、そのうちの１つが剪断強度である。
今までは主に、不便でかつ処理が遅いにも関わらず主としてＳＦＳ−ＥＮ１２０９０規格の規定により測定されていた。
前記標準化された方法は、接着剤が乾くまでの時間が必要であるので、少なくとも３０分あるいはそれ以上の時間を必要とする。
【０００８】
積層構造物に関するヨーロッパ標準規格は開発中であり、選択された試験方法はビームテストと呼ばれるものである。
ビームテストは、要素を幅約１００〜２００ｍｍ、長さ約１０００〜２０００ｍｍ程度のビームに切断するものである。
【０００９】
この方法は完成品に対する試験としては相応しいが、単にコア部を試験する場合には適さず、そのうえ、この方法は時間がかかり、それ故直接生産管理に適用できない。
【課題を解決するための手段】
【００１０】
従って、本発明の目的は、構造用ウールの剪断強度を測定する新しい方法を提供することであり、その装置は、１つの可動式の締め具及びその近傍に同様の構造からなる少なくとも１つの固定式の締め具を備え、それぞれの締め具は断熱材を切断するために細片状の試験片を把持できる穴を備え、前記装置は可動式の締め具に力Ｆを加えて固定式の締め具に対して可動式の締め具を動かして可動式の締め具と固定式の締め具との間に位置する細片の剪断するようになされており、前記装置はさらに前記力Ｆの大きさを測定する手段を備えていることを特徴とする。
【００１１】
他方では、本発明の方法は、断熱材を様々な指示による特定の寸法に従い細片上の試験片に切断し、前記細片を剪断強度を測定する装置内に載置し、この装置は、１つの可動式の締め具及びその近傍に同様の構造からなる少なくとも１つの固定式の締め具と、それぞれの締め具は細片状の試験片を把持することができる穴を備え、前記装置は力Ｆを可動部先端に加えることにより、可動式の締め具を固定式の締め具に対して動かし、測定している細片を可動式の締め具と固定式の締め具との間の位置で剪断させ、前記力Ｆはその大きさを測定し、それに基づいて剪断強度が決定されることを特徴とする。
【発明の効果】
【００１２】
本発明の剪断強度の決定方法の利点は、剪断強度の試験を短時間、例えば２、３分で行うことができる点にあり、従って連続的な生産管理用に使用できるようになる。
【発明を実施するための最良の形態】
【００１３】
図１〜図３に示す装置１はフレーム４と可動式の車輪１１により構成されている。
フレーム４の上部には可動式の締め具２と固定式の締め具３が取り付けられており、これらには、それぞれマット状に切断した構造用ウールからなる試験片１５を把持する把持穴２ａ、３ａが備えられている。
【００１４】
前記固定される試験片は、各々の締め具の把持穴内の突起部材１０により確実に固定されている。
前記固定式の締め具３は、フレーム４の上部に動かずに留まり、その間に前記可動式の締め具２は鉛直面の線形ガイド７に沿って動く台車６の動きによって移動するようにされている。
【００１５】
この鉛直方向の動きは、油圧シリンダ５により成し遂げられ、この油圧シリンダは出力センサ１６を経て可動式の締め具２に接続されている。
上記装置１は、更に配電盤１３だけでなく、必要な油圧エネルギーを生成する油圧ユニット１２をも含む。
【００１６】
操作に際しては、無機ウールのマットから切断された細片状の試験片は、図４に示すように、可動式の締め具２及び固定式の締め具３のそれぞれの把持穴２ａ、３ａ内に載置され、その後、前記可動式の締め具２は作動力Ｆを受けることにより、一定の移動速度で固定式の締め具３に対して移動させられ、それによって力Ｆが十分な大きさに増大すると、前記構造用ウールの試験片１５は可動式の締め具と固定式の締め具との間の位置１４で剪断される。
【００１７】
出力センサ１６は力Ｆの値を様々な時間で計測して力の最大値からマット状の無機ウールの剪断強度を算出するのに使用できる。
作製される試験片は数は好ましくは４つであり、破壊時の負荷から算出された剪断力の平均値が試験を行ったマット状の無機ウールの剪断力として適用される。
【００１８】
試験片は完成品と異なり化粧板を備えておらず、その結果として生じる剪断強度の値による実際の変形も完成品とは異なる。しかしこれは、実験的あるいは数学的に決定した適切な校正係数を用いることにより対応することができる。
【００１９】
図５は本発明の他の態様に係る方法を示し、２つの固定式の締め具３と、それらの間に位置し、前記固定式の締め具に対して動くように力Ｆを受ける可動式の締め具２からなる。
試験用細片１５は前記３つの締め具の把持穴の全てわたって伸びるように装置内に配置され、前記細片は装置が動作を行った際には、２箇所で拘束されるようになっている。
【００２０】
本発明の方法により得られる主な利点は、容易な方法で素早く行える点であり、本方法を適用することにより連続的な生産管理をも行うことができるようになる。
【００２１】
本方法及び装置は、上述のよう主としてに無機ウールを参照して、特に積層体のコア層として無機ウールを使用した場合について述べられたが、剪断強度が重要な要因となる他の断熱材に関しても適応できる。
【００２２】
積層体のコア層に加えて、構造用ウールは、例えば外断熱のために壁表面に直接塗布されるウールラメラや、しっくい塗装とともにトッピングされる場合等にも使用できる。
【図面の簡単な説明】
【００２３】
【図１】本発明の一典型例を一方の端面から見た概略図、
【図２】本発明の一典型例を前面から見た概略図、
【図３】本発明の一典型例を他方の端面から見た概略図、
【図４】本発明による構造用ウールの剪断試験を行う一方法を概略的に示す図、
【図５】本発明による構造用ウールの剪断試験を実行可能な他の方法を概略的に示す図。
【図１】
2005522672.tif 000003
【図２】
2005522672.tif 000004
【図３】
2005522672.tif 000005
【図４】
2005522672.tif 000006
【図５】
2005522672.tif 000007
【国際調査報告】
2005522672.tif 000008
2005522672.tif 000009
2005522672.tif 000010